(57)【特許請求の範囲】
【請求項１】
手元側に設けたハンドル３を持って操作し得る機体１を、それの先端側に走行輪２を軸支して一輪の手押車状に形成し、その機体１の先端側に、前記走行輪２をカバーする折曲鉄板よりなる台箱状の取付台８を組み付け、その取付台８に昇降板８１を、昇降調節自在に組み付けて、その昇降板８１の両端部に、スライド板８４を、左右方向に引き出し自在にそれぞれ組み付け、それらスライド板８４の各外端部に、円筒形のボディ６ａの周壁に薬液を放射方向に向け条線状に噴出させる多数の噴口６０を設けたノズル６を、それのボディ６ａの周方向の回動を可能とし、かつ、そのボディ６ａの軸線方向が機体１の前後方向に沿う姿勢としてノズル取付金具７を介して組み付け、このノズル６を、機体１の手元側に設けた接続部ｂにフレキシブルの導管部ｃを介して連通し、その接続部ｂを、別体の動力噴霧機に対し送液ホースＨを連通して薬液を散布するようにしたことを特徴とする薬液の散布装置。
【発明の詳細な説明】
【０００１】
【発明が属する技術分野】
本発明は、薬液をノズルから散布する散布器を、可搬式の機体に支架し、その散布器を、繰り出し可能な送液ホースを介して、前記機体と別体の固定設置式の動力噴霧機の吐出口に接続し、散布ノズルを支架した機体を操作して、動力噴霧機で吐出させる薬液を散布器から噴出させて、植物の病害虫を駆除するように用いる薬液の散布装置についての改良に関する。
【０００２】
【従来の技術】
上述の形態の従前の薬液散布装置は、通常、可搬式の機体をハンディ式の竿状とし、これに散布器を組み付け支架し、その散布器の薬液の入口管を、別体の固定設置式の動力噴霧機または移動走行自在とした車体に装架した動力噴霧機の吐出口に、繰り出し可能な送液ホースを介して接続することで、作業員が竿状の機体を持って散布器に設けたコックを操作することにより散布器の噴頭部に設けたノズルから薬液を噴出させて、圃場に栽培している作物に対し散布していくようにしている。
【０００３】
そして、機体に支架する散布器は、それの器体に、動力噴霧機に対し接続する送液ホースの接続口および導管路を開閉するコックならびにノズルを設けて構成するが、この散布器に取り付けられるノズルは、そこから噴出する薬液を、旋回させて細孔から細かな霧状として噴霧する噴霧ノズルに構成してあるものである。
【０００４】
【発明が解決しようとする課題】
上述の形態の薬液散布装置は、通常の病害虫の駆除には、効能を発揮するが、カイガラ虫のように、幼虫の時代には土中にもぐり込んでいて、成虫となって栽培植物の枝の部位および葉の裏側に寄生するようになる害虫に対しては、駆除の効果をあげ得ない問題がある。
【０００５】
このような害虫の駆除は、それが幼虫の内に駆除するのが最も良いとされるが、栽培植物の上面側からそれを覆うように噴霧ノズルから噴霧される薬液が土の中までは浸透せず、そのため、この土中の幼虫の駆除の効果をあげ得ないでいること、また、栽培植物の茎・枝に寄生するようになった成虫に対しても、噴霧する薬液が、いり組んだ栽培植物の枝の奥までとどかないことで、駆除の効果をあげ得ないでいる。
【０００６】
本発明は、上述の形態の散布装置に生じているこの問題を解消するためになされたものであって、カイガラ虫のように、幼虫のときに土中にもぐり込んでいて、成虫となって植物体の茎・枝に寄生するようになる害虫の駆除が適確に行え、かつ、薬液の散布が、種々の栽培様式で育成されている圃場の植物に対し、適応した状態で行え、しかも、機体の取り扱い操作が著しく容易なものとして薬液を散布していけるようにする薬液の散布装置を提供することを目的とする。
【０００７】
【課題を解決するための手段】
本発明は、上述の目的を達成するために、種々の研究を重ねて得られた知見に基づいてなされたものである。
【０００８】
即ち、散布する薬液が土中にまで浸透していくようにするには、薬液を土面に近い低い位置から少し下向きの横方向に直線の条線状に噴出させて、その薬液の条線が圃場の土面に直射していくようにして、土面に到達する薬液の量が局所的に多くなるようにしてやればよいことが判り、また、植物体の入り組んだ枝に対しては、条線状に噴出させる薬液を、低い位置から略水平な方向に噴射させるようにすることが有効で、また、葉の裏側に対しては、条線状に噴出させる薬液を、低い位置から少し上向きの横方向として噴射させることで有効に対処し得ることが判ってきた。
【０００９】
また、土中の幼虫に対処するための、低い位置から土面に向け少し下向きの横方向に噴出させる薬液の条線と、入り組んだ植物体の枝に寄生する害虫に対処するための、低い位置からの略水平な方向に噴出させる薬液の条線と、植物体の葉の裏側に寄生する害虫に対処するための低い位置から少し上向きの横方向に噴出させる薬液の条線とが、一度に得られるようにするには、ノズルのボディを、円筒状乃至多角筒状に形成して、それの周壁に、薬液をボディの周面の放射方向に条線状に噴出させる噴口を開設し、その噴口を複数個、周方向に位置を変えて並列するように開設することが有効であるという結果が得られた。
【００１０】
そして、このことから、本発明においては、上述の目的を達成するための手段として、手元側に設けたハンドル３を持って操作し得る機体１を、それの先端側に走行輪２を軸支して一輪の手押車状に形成し、その機体１の先端側に、前記走行輪２をカバーする折曲鉄板よりなる台箱状の取付台８を組み付け、その取付台８に昇降板８１を、昇降調節自在に組み付けて、その昇降板８１の両端部に、スライド板８４を、左右方向に引き出し自在にそれぞれ組み付け、それらスライド板８４の各外端部に、円筒形のボディ６ａの周壁に薬液を放射方向に向け条線状に噴出させる多数の噴口６０を設けたノズル６を、それのボディ６ａの周方向の回動を可能とし、かつ、そのボディ６ａの軸線方向が機体１の前後方向に沿う姿勢としてノズル取付金具７を介して組み付け、このノズル６を、機体１の手元側に設けた接続部ｂにフレキシブルの導管部ｃを介して連通し、その接続部ｂを、別体の動力噴霧機に対し送液ホースＨを連通して薬液を散布するようにしたことを特徴とする薬液の散布装置を提起するものである。
【００１１】
【発明の実施の形態】
次に本発明の実施の態様を、実施例の図面に従い詳述する。
図１は、本発明を実施せる薬液の散布装置Ａの全体の斜視図で、同図において、１は機体、２は走行輪、３はハンドル、３０は補助ハンドル、ｗは散布器、ａはその散布器ｗの噴頭部、ｂは散布器ｗを動力噴霧機の吐出口に対し送液ホースＨを介して接続せしめるための接続部、ｃはその接続部ｂと噴頭部ａとを連通する導管部を示す。
【００１２】
機体１は、従前の噴霧装置の機体と同様に、竿状に形成して、それの手元側に操作用のハンドル３および補助ハンドル３０を設け、そのハンドル３を持って自由に操作し得る様に構成してよいが、先端側には、比較的小径の走行輪２を軸支して、これを接地させることにより手元側のハンドル３の操作により手押しで走行するカート状に構成することが望ましく、むしろ有効である。
【００１３】
この機体１に組み付け支架せしめる散布器ｗは、別体に構成されて所望の場所に設置される動力噴霧機（図示省略）の薬液の吐出口に対し送液ホースＨを介して接続させる接続部ｂと、ノズル６を取り付ける噴頭部ａと、それらの間を接続する導管部ｃとを具備せしめ、それの接続部ｂには、送液ホースＨを接続するためのより戻し装置付きの接続口４０と送液ホースＨから導入した薬液の噴頭部ａ側への供給をオン・オフ制御する弁機構およびそれの切換操作を行うコック４１とを装備せしめ、この接続部ｂと導管部ｃを介して接続する噴頭部ａには、ノズル取付金具７を設けてそれにノズル６を取り付けるようにして構成することについては、従前のいわゆる噴霧竿の形態の薬液の散布装置における散布器と同様に構成してよい。
【００１４】
しかし、図１にある実施例においては、接続部ｂと噴頭部ａとは別体に形成し、かつ、これらを接続する導管部ｃを、フレキシブルなチューブまたはホースにより形成している。
【００１５】
これは、散布器ｗを機体１に組み付け支架して、その機体１を操作することにより薬液の散布作業を行う際において、散布器ｗの噴頭部ａに設けたノズル６からの薬液の噴射方向・噴射位置の変更のために、噴頭部ａを機体１に対して動かすときに、散布器ｗの全体を動かすことなく、噴頭部ａだけを変位・調節するだけで行えるようにするためである。
【００１６】
そして、この噴頭部ａは、図示する例においては、機体１の先端側の上面に、金属板をチャンネル状に折り曲げて台箱状に形成した取付台８を設けて、これに取り付け位置の変更が自在に行えるように組み付け、それの取り付け位置の変更が、機体１に固定状態に支架した接続部ｂに接続するフレキシブルな送液チューブまたは送液ホースとした導管部ｃの撓曲で行えるようにしている。
【００１７】
さらに、この図示する実施例においては、噴頭部ａは、台箱状に形成した取付台８の左右の側板８ａに、上方方向のガイド溝８０を設けて、これに、昇降板８１に設けたセットネジ８２を、それの左右の両側面のネジ溝を切削し平面に加工して、その左右の平面により自在に昇降するように、図３にあるよう側板８ａの内面側から嵌挿し、ガイド溝８０から取付台８の側板８ａの外面側に突出してくるセットネジ８２の先端部にノブナット８３を螺合して締着することで、昇降板８１が所望の取り付け高さ位置に保定されるようにし、この昇降板８１に、スライド板８４を左右に自在にスライドするよう組み付け、そのスライド板８４をノブナット８５により所望のスライド位置に固定し得るようにしておいて、そのスライド板８４の左右方向の外端側に噴頭部ａをノブナット８６により取り付けることより、スライド板８４のスライドと昇降板８１の昇降により、噴頭部ａの取り付け位置が、上下方向と左右方向に変位調節されるようにしている。
【００１８】
この噴頭部ａは、それの本体となるノズル取付金具７と、これに取り付けるノズル６と、ノズルをノズル取付金具７に取り付けセットするセットボルト９とで構成し、それの本体となるノズル取付金具７を前述の取付台８に設けたスライド板８４に取り付けることで機体１に対し装着されるようにしている。
【００１９】
そして、この噴頭部ａにセットするノズル６は、それのボディ６ａを円筒状に形成して、それの周壁に、放射方向に向かう噴口６０を開設してこの噴口６０から薬液をボディ６ａの周面の放射方向に条線状に噴出させるようにし、かつ、その薬液を噴出させる噴口６０を、ノズル６のボディ６ａの周壁の、周方向において略９０度程度の角度範囲とした部位に、周方向に適宜の間隔をおいて複数個設けることで、複数の噴口６０のそれぞれから、条線状の薬液がボディの周面の放射方向に噴出するように構成している。
【００２０】
このボディ６ａを円筒状に形成したノズル６を取り付ける噴頭部ａのノズル取付金具７は、図５にあるように、一端側には接続部ｂと接続する導管部ｃを接続する接続口７０を設け、この接続口７０を、送液ホースＨの先端側に嵌挿した接続ニップル５０とそれに組み付けた接続ナット５１とからなる接続金具５を介して導管部ｃに対し接続し、他端側には、前述の円筒状のノズル６のボディ６ａに対し、それの一端側の内周に嵌合する嵌合筒部７１を設けるとともに、この嵌合筒部７１をノズル６のボディ６ａに嵌合させたときに、そのボディ６ａの一端側の端面に当接する鍔部７２を設け、かつ、内周部位にセットボルト９と螺合する雌ネジを設けたネジ部７３を設けておく。
【００２１】
また、このノズル取付金具７にノズル６を取り付けセットするセットボルト９は、図５にあるように、それの頭部側に、前記ノズル６のボディ６ａに対し、それの他端側の内周に嵌合する嵌合筒部９０とそのノズル６のボディ６ａの他端側の端面に当接する鍔部９１を設けておき、ノズル６のボディ６ａをノズル取付金具７に取り付けるときは、そのボディ６ａをセットボルト９の外周に嵌挿した状態として、それの一端側をノズル取付金具７の嵌合筒部７１に嵌合し、そのボディ６ａの他端側にはセットボルト９の頭部側に設けた嵌合筒部９０を嵌合させて、セットボルト９の先端側のネジ部９２を、ノズル取付金具７のネジ部７３に螺合し、ノズル６のボディ６ａの両端の端面が、セットボルト９の頭部側の鍔部９１およびノズル取付金具７の鍔部７２に対し緩く衝合した状態として取り付けセットする。
【００２２】
このとき、ノズル６のボディ６ａの両端部における内周側には、それぞれ、ＯリングＲの嵌合溝を設けておいて、ここにＯリングＲに嵌装しておき、このＯリングＲが嵌合筒部７１・９０の外周面にそれぞれ密着することで、ノズル６ボディ６ａの内腔の外部に対する水密が保持されるとともに、そのＯリングＲの接触面の摩擦によりノズル６のボディ６ａを、ノズル取付金具７に対し固定状態に保持するようにする。
【００２３】
そして、これにより、ノズル６のボディ６ａに対し、少し強い負荷を周方向に加えることで、そのボディ６ａが周方向に回動して、所望の回動位置において固定保持されるようになって、この回動で、ノズル６のボディ６ａの周壁に設けた噴口６０からの薬液の噴射方向の変更調節が行えるようにしてある。
【００２４】
また、このノズル６は、それを取り付けたスライド板８４を図５にあるよう機体１の側方に引き出すことで、機体１から側方に張り出した位置で薬液の噴出を行うようになり、この状態において、図７にあるよう昇降板８１を下降させることで、ノズル６が低い位置で張り出した位置を占めるようになる。
【００２５】
このとき、ノズル６を、取付台７の左右の両側に一対に対向するように２連に並設しておくときは、機体１を、それの走行輪２により、圃場に栽培している植物の畝間を走行させたときに、畝間の両側の植物に対し、その畝間の狭広に応じ、所望の距離と高さに調節して、薬液を散布していけるようになる。
【００２６】
【発明の効果】
以上説明したように、本発明による薬液の散布装置は、機体を先端側に小径の走行輪を軸支したカート状に構成して、その機体の先端側に、支架した散布器の噴頭部を配設するようにしているのだから、カイガラ虫などの害虫の駆除のための薬液の散布作業が楽にかつ適確に行えるようになる。
【００２７】
また、噴頭部に設けるノズルを、ドラム状に形成して、それの周壁に薬液を条線状に噴出する噴口を、周方向に間隔をおいて複数個設けて構成しているのだから、薬液を地中および植物体の枝ならびに葉の裏側に対し適確に散布していけるようになる。
【図面の簡単な説明】
【図１】  本発明を実施せる薬液の散布装置の全体の側面図である。
【図２】  同上の機体の先端部分の側面図である。
【図３】  同上の機体の取付台部の一部破断した斜視図である。
【図４】  同上の機体の先端部分の前面図である。
【図５】  同上の機体に支架した散布器の噴頭部の縦断側面図である。
【図６】  同上の機体の先端部分の斜視図である。
【図７】  同上部分のスライド板を側方に張り出させ、かつ、取付台に対し下降させた状態の斜視図である。
【図８】  同上部分のスライド板を引き込ませて上昇させた状態の斜視図である。
【図９】  同上部分のスライド板を引き込ませて下降させた状態時の斜視図である。
【符号の説明】
Ａ…散布装置、Ｒ…Ｏリング、Ｈ…送液ホース、ａ…噴頭部、ｂ…接続部、ｃ…導管部、ｗ…散布器、１…機体、２…走行輪、３…ハンドル、３０…補助ハンドル、４０…接続口、４１…コック、５…接続金具、５０…接続ニップル、５１…接続ナット、６…ノズル、６ａ…ボディ、６０…噴口、７…ノズル取付金具、７０…接続口、７１…嵌合筒部、７２…鍔部、７３…ネジ部、８…取付台、８ａ…側板、８０…ガイド溝、８１…昇降板、８２…セットネジ、８３…ノブナット、８４…スライド板、８５・８６…ノブナット、９…セットボルト、９０…嵌合筒部、９１…鍔部、９２…ネジ部。
【図１】
0003901628.tif 000002
【図２】
0003901628.tif 000003
【図３】
0003901628.tif 000004
【図４】
0003901628.tif 000005
【図５】
0003901628.tif 000006
【図６】
0003901628.tif 000007
【図７】
0003901628.tif 000008
【図８】
0003901628.tif 000009
【図９】
0003901628.tif 000010